【事件の表示】
　特許第３４１９１９８号「温水供給装置」の請求項１に係る発明についての特許に対する特許異議の申立てについて、次のとおり決定する。
【結　論】
　訂正を認める。
　特許第３４１９１９８号の請求項１に係る発明についての特許を維持する。
【理　由】
第１　手続の経緯
　本件特許第３４１９１９８号の出願は、平成８年５月２４日に出願された特願平８−１２９６６９号の特許出願であって、その発明についての特許は平成１５年４月１８日に設定登録され、その特許に対し、特許異議申立人花田吉秋（以下、「申立人」という。）により特許異議の申立てがなされ、当審において取消理由を通知したところ、その指定期間内の平成１６年８月２３日付けで特許異議意見書が提出されるとともに、同日付けで訂正請求がなされたものである。
　
第２　訂正の適否についての判断
１．訂正の内容
　特許権者は、訂正請求書を提出して、特許明細書を次のように訂正しようとするものである。
［訂正事項ａ］：特許明細書の【特許請求の範囲】の
　「【請求項１】選択された１つの出水部位から温度調整済みの温水を供給する温水供給装置であって、湯及び水を混合して所要温度の温水を供給する温度調整弁と、この温度調整弁と一方側の出水部位との間に介装された第１止水弁と、この第１止水弁と他方側の出水部位との間に介装された第２止水弁とを備えており、第１止水弁は、温度調整弁から供給された温水が止水可能な状態で流通し、かつ、一方側の出水部位に対して接続されたメイン流路と、温度調整弁から供給された温水が止水不可な状態で流通する少なくとも１つのバイパス流路とを具備したものである一方、第２止水弁は、第１止水弁のバイパス流路に対して接続されたものであることを特徴とする温水供給装置。」
の記載を、
　「【請求項１】選択された１つの出水部位から温度調整済みの温水を供給する温水供給装置であって、湯及び水を混合して所要温度の温水を供給する温度調整弁と、この温度調整弁と一方側の出水部位との間に介装された第１止水弁と、この第１止水弁と他方側の出水部位との間に介装された第２止水弁
と、前記温度調整弁、前記第１止水弁及び前記第２止水弁が組み込まれた装置パネルと
前記
前記
前記
前記
前記
前記
あり、前記装置パネルは、前記温度調整弁、前記第１止水弁及び前記第２止水弁のそれぞれに対する操作用の摘まみを設けている
に訂正する。
［訂正事項ｂ］：特許明細書の段落【０００７】の
　「【課題を解決するための手段】本発明の請求項１に係る温水供給装置は、選択された１つの出水部位から温度調整済みの温水を供給するものであって、湯及び水を混合して所要温度の温水を供給する温度調整弁と、この温度調整弁と一方側の出水部位との間に介装された第１止水弁と、この第１止水弁と他方側の出水部位との間に介装された第２止水弁とを備えており、第１止水弁は、温度調整弁から供給された温水が止水可能な状態で流通し、かつ、一方側の出水部位に対して接続されたメイン流路と、温度調整弁から供給された温水が止水不可な状態で流通する少なくとも１つのバイパス流路とを具備したものである一方、第２止水弁は、第１止水弁のバイパス流路に対して接続されたものであることを特徴としている。」
の記載を、
　「【課題を解決するための手段】
　本発明の請求項１に係る温水供給装置は、選択された１つの出水部位から温度調整済みの温水を供給するものであって、湯及び水を混合して所要温度の温水を供給する温度調整弁と、この温度調整弁と一方側の出水部位との間に介装された第１止水弁と、この第１止水弁と他方側の出水部位との間に介装された第２止水弁
と、前記温度調整弁、前記第１止水弁及び前記第２止水弁が組み込まれた装置パネルと
前記
前記
前記
前記
前記
前記
あり、前記装置パネルは、前記温度調整弁、前記第１止水弁及び前記第２止水弁のそれぞれに対する操作用の摘まみを設けている
に訂正する。
　
２．訂正の目的の適否、新規事項の有無及び拡張・変更の存否
　［訂正事項ａ］の訂正は、請求項１に係る発明の「湯及び水を混合して所要温度の温水を供給する温度調整弁と、この温度調整弁と一方側の出水部位との間に介装された第１止水弁と、この第１止水弁と他方側の出水部位との間に介装された第２止水弁とを備えており、……接続されたものであることを特徴とする温水供給装置。」の記載を、「湯及び水を混合して所要温度の温水を供給する温度調整弁と、この温度調整弁と一方側の出水部位との間に介装された第１止水弁と、この第１止水弁と他方側の出水部位との間に介装された第２止水弁
と、前記温度調整弁、前記第１止水弁及び前記第２止水弁が組み込まれた装置パネルと
あり、前記装置パネルは、前記温度調整弁、前記第１止水弁及び前記第２止水弁のそれぞれに対する操作用の摘まみを設けている
　また、［訂正事項ａ］の訂正は、請求項１に係る発明の「温度調整弁」「第１止水弁」「第２止水弁」及び「バイパス流路」のそれぞれの記載を、「
前記
前記
前記
前記
　［訂正事項ｂ］の訂正は、発明の詳細な説明の段落【０００７】の記載を、請求項１の記載に整合させるための訂正であるから、明りようでない記載の釈明を目的とするものに該当する。
　そして、上記［訂正事項ａ］及び［訂正事項ｂ］の各訂正における技術事項は、特許明細書又は図面に記載されていた範囲内のものであるから、これらの［訂正事項ａ］及び［訂正事項ｂ］の訂正は、願書に添付した明細書又は図面に記載した事項の範囲内においてした訂正であって、新規事項の追加に該当せず、さらに、実質上特許請求の範囲を拡張し、又は変更するものでもない。
　
３．むすび
　以上のとおりであるから、上記訂正は、特許法第１２０条の４第２項及び同条第３項において準用する特許法第１２６条第２項から第４項までの規定に適合するので、当該訂正を認める。
　
第３　特許異議の申立てについて
１．特許異議の申立ての取消理由の概要
　申立人は、下記の甲第１号証及び甲第２号証を提示して、請求項１に係る発明は、甲第１号証及び甲第２号証に記載された発明に基いて当業者が容易に発明をすることができたものであるから、特許法第２９条第２項の規定に違反して特許されたので、請求項１に係る発明についての特許は取り消されるべきである旨を申し立てている。
　　　　　　　　　　　　　　　　　記
・
甲第１号証
・
甲第２号証
　
２．本件発明
　本件発明は、特許明細書が訂正請求により訂正された結果、訂正明細書の特許請求の範囲の請求項１に記載された次の事項により特定されるとおりのものである。（前記「第２　訂正の適否についての判断」の欄の「１．訂正の内容」の項の［訂正事項ａ］を参照。）
　「【請求項１】選択された１つの出水部位から温度調整済みの温水を供給する温水供給装置であって、湯及び水を混合して所要温度の温水を供給する温度調整弁と、この温度調整弁と一方側の出水部位との間に介装された第１止水弁と、この第１止水弁と他方側の出水部位との間に介装された第２止水弁と、前記温度調整弁、前記第１止水弁及び前記第２止水弁が組み込まれた装置パネルとを備えており、前記第１止水弁は、前記温度調整弁から供給された温水が止水可能な状態で流通し、かつ、一方側の出水部位に対して接続されたメイン流路と、前記温度調整弁から供給された温水が止水不可な状態で流通する少なくとも１つのバイパス流路とを具備したものである一方、前記第２止水弁は、前記第１止水弁の前記バイパス流路に対して接続されたものであり、前記装置パネルは、前記温度調整弁、前記第１止水弁及び前記第２止水弁のそれぞれに対する操作用の摘まみを設けていることを特徴とする温水供給装置。」（以下、これを「本件発明」という。）
　
３．甲号各証に記載の発明
（１）
甲第１号証
　「給水栓本体にボディシャワー栓を一体的に取付けてなり、上記ボディシャワー栓は、給水栓本体からの湯水を導入する開閉栓と、この開閉栓の二次側に対して同開閉栓と一体化させて接続する放水筒部とから構成し、その放水筒部は外周面にシャワー孔を開設すると共に開閉栓に対して回転自在に構成したボディシャワー付給水栓。」（１ページ左欄５〜１１行の特許請求の範囲）
　「本発明の課題は、座った姿勢で使用者が希望する体の任意の部位にシャワー水を当てることのできるボディシャワーを配管施工の面倒を削減して提供することである。」（２ページ左上欄２〜５行）
　「第１図及び第２図にて示すボディシャワー付給水栓は、給水栓本体である混合栓本体（１）の上部に対してボディシャワー栓（２）を一体的に取付設置してなるものであり、上記ボディシャワー栓（２）は混合栓（１）に対して水平状に取付け固定する開閉栓（３）と、この開閉栓（３）の一端に同栓（３）と同芯状に一体化させて接続される放水筒部（５）から構成してある。給水栓本体とからなる混合栓本体（１）はサーモスタットミキシングバルブであって、内部に湯室（１１）、水室（１２）、混合室（１３）を区画形成し、この湯室（１１）内に供給される湯と水室（１２）内に供給される水が夫々湯制御弁（１４）と水制御弁（１５）を通って混合室（１３）に流れ込むようになっている。上記両制御弁（１４），（１５）はそれらの間に設けた制御弁（１６）に連係するスピンドル（１７）を回転操作して進退させ、制御弁体（１６）を前後に摺動させることによって、どちらか一方の弁座に近ずくときは他方の弁座より遠ざかって、混合水温度を調整する。」（２ページ左下欄９行〜右下欄８行）
　「湯水両制御弁（１４）を通過して混合室（１３）にて混合された湯水は、混合栓正面に設けられる給水ハンドル（２２）を開操作することにより給水栓（２３）から吐水路（２４）内に流入して吐水口（２５）から吐水されるか、若しくは開閉栓（３）のハンドル（３２）操作により、接続部（３３）からボディシャワー栓（２）側へ供給される。」（３ページ左上欄４〜１０行）
　「また、接続部（３３）が嵌合される受孔（２６）は混合室（１３）の上面に臨んでおり、混合室（１３）内の湯水が接続部（３３）内の流路（３３ｃ）を通過して開閉栓本体（３１）内へ導入される様になっている。」（３ページ右上欄９〜１３行）
　「開閉栓（３）の二次側端にはシャワー水の放水部となる放水筒部（５）が開閉栓（３）と同芯させ且つ一体的に接続せしめてあり、放水筒部（５）は上記した様に開閉栓本体（３１）の他端口に螺合接続する中軸体（５ａ）と、同軸（５ａ）の外周に水路（５ｃ）を介して回転自在に被嵌する外筒体（５ｂ）とから構成される。」（３ページ左下欄１８行〜右下欄４行）
　「外筒体（５ｂ）は外周面に横一列のシャワー孔（４）が穿設してあり、」（３ページ右下欄１８〜１９行）
　「これにより、外筒体（５ｂ）を中軸体（５ａ）の外側で円周方向に３６０°回動する様に支持してある。」（４ページ左上欄７〜９行）
　「而して、上記した如く構成したボディシャワー付給水栓は開閉栓（３）のハンドル（３２）を開栓操作して弁部を開くことにより、混合栓（１）の混合室（１３）からの湯水が開閉栓本体（３１）の弁室（３ａ）内に流れ込み、流路（５０）−通路（５３）−水路（５ｃ）と通過してシャワー孔（４）より放水される。」（４ページ左上欄１６行〜右上欄２行）
　「従って、放水口となる放水筒部（５）が混合栓本体（１）と一体的になって取付けられていても、放水筒部（５）の外筒部（５ｂ）を回動調節することによって、使用者は座ったままの姿勢でもって体の任意の部位にシャワー水を当てることが可能である。また、ボディシャワー栓（２）を混合栓本体（１）に対して一体的に取付けたものであるから、ボディシャワー栓（２）の取付け施工を混合栓本体（１）の設置と一緒に済ませることができ、従来必要であった連絡管等の配管の面倒が削減されるものである。」（４ページ右上欄７〜１８行）
　「また、第２図にて示す様に、混合栓本体（１）の裏面からフレキシブルホース（２７）を引出してハンドシャワーを付設することによって、ボディシャワーとハンドシャワーとを併用することもできる。」（４ページ左下欄５〜９行）
　
（４）
甲第２号証
　
４．当審の判断
　訂正請求により【請求項１】の記載が本件発明のとおりに限定減縮されたことにともない、本件発明は「前記温度調整弁、前記第１止水弁及び前記第２止水弁が組み込まれた装置パネルとを備えており、」及び「前記装置パネルは、前記温度調整弁、前記第１止水弁及び前記第２止水弁のそれぞれに対する操作用の摘まみを設けている」の発明特定事項を有することになった。
　しかしながら、申立人の提出した甲第１号証及び甲第２号証のいずれにも、本件発明の前記発明特定事項についての記載が認められず、またそれを示唆する記載も認められない。そして、前記発明特定事項が本願特許出願時の周知技術であるとも、或いは、本件特許明細書の記載からみて自明の事項であるとも認めることができない。
　そうしてみると、申立人の提出した甲第１号証及び甲第２号証には、本件発明の発明特定事項の一部が個々に記載されているだけであり、甲第１号証及び甲第２号証にそれぞれ記載された発明を組み合わせたとしても、もとより本件発明の構成を得ることができない。そして、本件発明は、前記発明特定事項により、特許明細書に記載されている格別顕著な作用効果を奏するものと認められる。
　以上のとおりであり、本件発明が甲第１号証又は甲第２号証に記載された発明であるとすることも、或いは、本件発明が甲第１号証及び甲第２号証にそれぞれ記載された発明に基いて当業者が容易に発明をすることができたものであるとすることもできない。
　
第４　むすび
　以上のとおりであるから、特許異議の申立ての理由によっては本件発明についての特許を取り消すことはできない。
　また、他に本件発明についての特許を取り消すべき理由を発見しない。
　よって、結論のとおり決定する。
【異議決定日】
平成１６年９月９日（２００４．９．９）
【訂正の要旨】
審決（決定）の【理由】欄参照。
（５４）【発明の名称】
温水供給装置
（５７）【特許請求の範囲】
　【請求項１】選択された１つの出水部位から温度調整済みの温水を供給する温水供給装置であって、
　湯及び水を混合して所要温度の温水を供給する温度調整弁と、この温度調整弁と一方側の出水部位との間に介装された第１止水弁と、この第１止水弁と他方側の出水部位との間に介装された第２止水弁
と、前記温度調整弁、前記第１止水弁及び前記第２止水弁が組み込まれた装置パネルと
　
前記
前記
前記
前記
前記
前記
あり、
　
前記装置パネルは、前記温度調整弁、前記第１止水弁及び前記第２止水弁のそれぞれに対する操作用の摘まみを設けている
【発明の詳細な説明】
　【０００１】
　【発明の属する技術分野】
　本発明は温水供給装置に係り、詳しくは、浴室洗い場における複数の出水部位のうちのいずれかを選択したうえで温度調整済みの温水を供給する構成とされた温水供給装置に関する。
　【０００２】
　【従来の技術】
　従来から、ユニットバスなどのような浴室の洗い場壁面にはカラン及びシャワーなどの出水部位が設けられており、これらの出水部位に対しては図８及び図９で示すような構成とされた温水供給装置から所要温度に調整済みの温水が供給されるのが一般的となっている。
　【０００３】
　すなわち、この温水供給装置においては、弁操作によって選択されたシャワー１及びカラン２のうちのいずれか一方のみから温水が供給されるのであり、湯導入管３及び水導入管４を通じて導入された湯及び水のそれぞれは温度調整弁５でもって混合されたうえで所要温度の温水となった後、この温度調整弁５の出口側に接続されて流路切り換え機能を有する止水弁６を通じたうえでシャワー１及びカラン２いずれかの出水部位から供給されることになる。したがって、入浴者がシャワー１またはカラン２を使用するに際しては、まず、温度調整弁５の摘まみ５ａを操作することによって温度調整済みの温度を得たうえ、止水弁６の摘まみ６ａをシャワー１側またはカラン２側へと切り換え操作することが行われる。
　【０００４】
　【発明が解決しようとする課題】
　従来構成の温水供給装置においては、流路切り換え機能を有する止水弁６の摘まみ６ａを入浴者が切り換え操作することによってシャワー１またはカラン２いずれかから温水が供給されるのであるが、この止水弁６のみの操作でもって温水が供給される出水部位の切り換えを行っているため、誤操作が起こり易く、使い勝手が悪いという不都合が生じていた。
　【０００５】
　そこで、このような不都合を解消すべく、図１０で示すように、出水部位それぞれの側ごとに止水弁７，８を設けることが考えられている。すなわち、この構成であれば、出水部位のそれぞれと止水弁７，８の各々とが対応しているから、シャワー１を使用する際には一方側の止水弁７を操作し、かつ、カラン２を使用する場合には他方側の止水弁８を操作すればよいことになる結果、誤操作が起こり難く、使い勝手が良好となる。しかしながら、このような構成を採用したのでは、温度調整弁５の出口側に分岐用のＴ字管９などを接続しておくことによって温水を出水部位の各々に対して供給する必要があるため、配管接続構造が複雑となり、コストがかさむばかりか、占有スペースが増大するという別異の不都合が生じる。
　【０００６】
　本発明は、これらの不都合に鑑みて創案されたものであって、入浴者の誤動作を確実に防止することができ、しかも、配管接続構造の複雑化を招くことのない温水供給装置の提供を目的としている。
　【０００７】
　【課題を解決するための手段】
　本発明の請求項１に係る温水供給装置は、選択された１つの出水部位から温度調整済みの温水を供給するものであって、湯及び水を混合して所要温度の温水を供給する温度調整弁と、この温度調整弁と一方側の出水部位との間に介装された第１止水弁と、この第１止水弁と他方側の出水部位との間に介装された第２止水弁
と、前記温度調整弁、前記第１止水弁及び前記第２止水弁が組み込まれた装置パネルと
前記
前記
前記
前記
前記
前
あり、前記装置パネルは、前記温度調整弁、前記第１止水弁及び前記第２止水弁のそれぞれに対する操作用の摘まみを設けている
　【０００８】
　【０００９】
　【発明の実施の形態】
　以下、本発明に係る実施の形態を図面に基づいて説明する。
　【００１０】
　図１は第１の実施の形態に係る温水供給装置の全体構成を示す説明図、図２は温水供給装置の外観形状を示す説明図、図３は第１止水弁の縦断構成を示す説明図、図４はその横断構成を示す説明図であり、この温水供給装置は選択された１つの出水部位から温度調整済みの温水を供給するものとなっている。そして、これらの図における符号１０はシャワー、１１はカラン、１２は湯導入管、１３は水導入管、１４は温度調整弁であり、温度調整弁１４によっては、従来同様、湯導入管３及び水導入管４を通じて導入された湯及び水を混合したうえで所要温度の温水とすることが行われている。なお、図中の符号１４ａは温度調整弁１４に設けられた摘まみであり、この摘まみ１４ａの開閉操作によって温水の温度調整が行われるようになっている。
　【００１１】
　また、この温度調整弁１４と一方側の出水部位であるシャワー１０との間には図１で模式化して示し、かつ、具体的な構成については後述する第１止水弁１５が介装されている一方、第１止水弁１５と他方側の出水部位であるカラン１１との間には通常通りの構成とされた第２止水弁１６が介装されており、これらの弁は図２で示すような配置状態としたうえで装置パネル１７に組み込まれている。なお、この図２においては、装置パネル１７の上側位置に温度調整弁１４及び第１止水弁１５を並列して配置し、かつ、下側位置に第２止水弁１６を配置しているが、このような配置状態に限定されないことは勿論である。但し、本実施の形態では、温度調整弁１４の下流側に第１止水弁１５を接続し、この第１止水弁１５の下流側に第２止水弁１６を接続するので、図示したような配置状態であることが望ましい。
　【００１２】
　さらに、この際における第１止水弁１５は、図３及び図４で具体化して示すように、温度調整弁１４から供給された温水が流通するメイン流路と少なくとも１つのバイパス流路とを具備して構成されたものであり、入口１５ｂから弁口２０を通って出口１５ｃに至るまでのメイン流路内を流通する温水はハウジング１８に組み込まれた弁体１９が摘まみ１５ａでもって操作されるのに伴って止水可能な状態下で流通することになっている。そして、このメイン流路の出口１５ｃに対しては、一方側の出水部位であるところのシャワー１０が接続されている。そこで、摘まみ１５ａを開操作した際には、シャワー１０から温水が供給されることになる。
　【００１３】
　また、この第１止水弁１５におけるバイパス流路は、ハウジング１８の入口１５ｂから弁口２０を通らずに出口１５ｄ，１５ｅへと至るようにして設けられたものであり、温度調整弁１４から供給された温水は止水不可な状態下でバイパス流路内を流通することになっている。そして、これらバイパス流路のうちの１つを構成する出口、例えば、出口１５ｄに対しては第２止水弁１６が接続されており、第２止水弁１６の摘まみ１６ａを開操作した際にはカラン１１から温水が供給されることになる。すなわち、本実施の形態においては出水部位がシャワー１０及びカラン１１の２つとされているので、第１止水弁１５は少なくとも１つのバイパス流路を具備していればよいことになり、この際における他方側のバイパス流路を構成する出口１５ｅはプラグなどを用いたうえで閉塞されている。
　【００１４】
　さらにまた、以上の説明においては、第２止水弁１６が通常通りの構成、つまり、メイン流路のみを具備したものであるとしているが、これに限られることはなく、第１止水弁１６と同様のメイン流路及びバイパス流路を具備した構造とされたものであってもよいことは勿論であり、この場合にはバイパス流路を構成するすべての出口がプラグなどによって閉塞されることになっている。
　【００１５】
　すなわち、本実施の形態では、湯及び水を混合したうえで所要温度とされた温水が温度調整弁１４から第１止水弁１５へと供給されることになり、第１止水弁１５のメイン流路を通じたうえでのシャワー１０に対する温水の供給が行われる一方、第１止水弁１５のバイパス流路及び第２止水弁１６を通じたうえでのカラン１１に対する温水の供給が行われている。そこで、この際におけるシャワー１０とは第１止水弁１５が対応し、かつ、カラン１１とは第２止水弁１６とが対応しており、シャワー１０及びカラン１１の各々を使用する際には、対応する第１止水弁１５または第２止水弁１６のみを開操作すればよいことになる結果、誤操作が起こることはなくなり、使い勝手が良好となる。
　【００１６】
　ところで、第１の実施の形態においては、シャワー１０と第１止水弁１５とが対応し、カラン１１と通常の第２止水弁１６とが互いに対応するとしている。しかしながら、変形例に係る温水供給装置の全体構成を示す図５のように、第１止水弁１５の止水可能なメイン流路の出口１５ｃに対してカラン１１を接続し、かつ、第１止水弁１５の止水不可なバイパス流路の出口１５ｄに対して第２止水弁１６を介したうえでシャワー１０を接続してもよく、このような構成とすれば、シャワー１０と第２止水弁１６とが対応し、カラン１１と第１止水弁１５とが対応していることになる。そして、この際においては、第１止水弁１５を装置パネル１７の中央位置に配置することを行ったうえ、その一側に温度調整弁１４を配置し、かつ、その他側に第２止水弁１６を配置してなる横一列の配置状態を採用すれば、配管が短くて済むことになり、全体スペースが少なくて済むことになるという利点が得られる。
　【００１７】
　つぎに、本発明の参考例となる実施の形態を説明する。
　【００１８】
　図６は参考例としての実施の形態に係る温水供給装置の全体構成を示す説明図、図７は温度調整弁の縦断構成を示す説明図であり、これらの図における符号２１は温度調整弁、２２，２３のそれぞれは通常の構成とされた止水弁である。そして、これらの止水弁２２，２３の各々は、温度調整弁２１と出水部位であるシャワ１０及びカラン１１との間に介装されたものとなっている。
　【００１９】
　すなわち、この実施の形態における温度調整弁２１は湯及び水を混合して所要温度の温水を供給するものであり、この温度調整弁２１を構成するハウジング２４内には温水の温度調整を行うための摘まみ２１ａでもって開閉操作される弁体２５が組み込まれている。そして、図６及び図７で示すように、温度調整弁２１に対しては湯導入管１２及び水導入管１３が接続された入口２１ｂ，２１ｃが接続されているとともに、少なくとも２つの温水供給口である出口２１ｄ，２１ｅが配設されており、温水供給口２１ｄに対してはシャワー１０との間に介装された止水弁２２が接続される一方、温水供給口２１ｅに対してはカラン１１との間に介装された止水弁２３が接続されている。なお、図中の符号２８は温度調整弁２１を構成するハウジング２４内に設けられた湯及び水の混合部であり、この混合部２８は入口２１ｂ，２１ｃ及び出口２１ｄ，２１ｅ同士を連通している。
　【００２０】
　そこで、この実施の形態に係る温水供給装置においても、出水部位であるシャワー１０及びカラン１１のそれぞれには止水弁２２，２３が対応していることになり、シャワー１０またはカラン１１を使用する際には、対応する止水弁２２，２３のいずれか一方を開操作すればよく、誤操作が起こりがたいことになる。なお、この実施の形態では、温度調整弁２１に対して２つの温水供給口である出口２１ｄ，２１ｅを配設しているが、３つ以上の温水供給口を配設しておいてもよく、この際に不要となる温水供給口はプラグなどを用いたうえで閉塞されている。
　【００２１】
　【発明の効果】
　以上説明したように、本発明の請求項１に係る温水供給装置においては、一方側の出水部位と第１止水弁とが対応し、他方側の出水部位と第２止水弁とが対応しているので、出水部位のいずれかを使用する際には対応する側の止水弁のみを開操作すればよいことになり、入浴者の誤動作を確実に防止することが可能となる。そして、この温水供給装置によれば、配管接続構造の複雑化を招くこともなく、コストや占有スペースが増大することを未然に防止できるという効果が得られる。
　【００２２】
【図面の簡単な説明】
　【図１】
　第１の実施の形態に係る温水供給装置の全体構成を示す説明図である。
　【図２】
　温水供給装置の外観形状を示す説明図である。
　【図３】
　第１止水弁の縦断構成を示す説明図である。
　【図４】
　その横断構成を示す説明図である。
　【図５】
　変形例に係る温水供給装置の全体構成を示す説明図である。
　【図６】
　参考例としての実施の形態に係る温水供給装置の全体構成を示す説明図である。
　【図７】
　温度調整弁の縦断構成を示す説明図である。
　【図８】
　従来の形態に係る温水供給装置の外観形状を示す説明図である。
　【図９】
　温水供給装置の全体構成を示す説明図である。
　【図１０】
　他の構成とされた温水供給装置の全体構成を示す説明図である。